(57)【要約】【課題】ＬＥＤユニットを備えた上ケースを開いたときに、ＬＥＤヘッドの露光面がＬＥＤプリンタに対して露出することがなく、露光面に傷やゴミが付きにくい画像形成装置を提供する。【解決手段】上ケース１をメカユニット３に対して閉じた状態から開いた状態にしたときに、ＬＥＤユニット２０は上ケース１が開く動作に連動して回動し、露光面が回動中心を向くような構成になっている。上ケース１を開いたときに露光面が回動中心の方向を向くので、上ケース１の開放側に向かって露出することがなく、露光面に傷やゴミが付着することを防止することができる。また、上ケース１を開いたときにすべてのＬＥＤユニット２０が回動することで、上ケース１の開き角度を大きくしなくてもドラムユニット１０の交換を容易にすることができる。【選択図】図２
2010044406.tif 000002
【特許請求の範囲】
【請求項１】
開口部が備えられた第１機体と、
前記第１機体の開口部を覆うように、第１機体に開閉可能に取り付けられた第２機体と、
前記第２機体に備えられ、搬送されるシートを積載するためのシート積載トレイと、
前記第２機体に備えられ、主走査方向に沿ってライン状に露光し、前記シートの搬送方向において配列された複数の露光手段と、
前記第１機体に備えられ、前記露光手段によって潜像が形成される感光体とを備え、
前記第２機体は、前記第２機体の一方が前記第１機体と連結され、前記一方を中心として回動し、他方が前記第１機体に対して閉じた状態である閉姿勢と開いた状態である開姿勢とに移動可能に設けられ、
前記シート積載トレイの少なくとも一部は、前記シートの搬送方向に向かって上方向に傾斜するように設けられ、
前記シートの搬送方向における最上流側に配置された露光手段は、前記シート積載トレイの前記傾斜に対向する位置に設けられ、
前記露光手段の露光面は、前記第２機体が閉姿勢のときに、前記感光体に対して露光可能な露光位置に配置され、
前記第２機体が開姿勢のときに、前記露光位置から回動した退避位置に配置され、かつ、
前記シートの搬送方向最上流側に配置された前記露光手段は、他の前記露光手段よりも傾斜角度が大きいことを特徴とする画像形成装置。
【請求項２】
前記複数の露光手段の露光面は、前記第２機体が開姿勢のときに、前記露光面が前記第２機体の回動中心の方向を向いた退避位置に配置されることを特徴とする請求項１に記載の画像形成装置。
【発明の詳細な説明】
【技術分野】
【０００１】
本発明は、電子写真方式の複写機、プリンタ等の画像形成装置に関する。
【背景技術】
【０００２】
従来、複写機やプリンタ等の画像形成装置では、画像書き込み方式（露光方式）として、レーザ走査方式やＬＥＤ露光方式が実用化されている。ＬＥＤ露光方式は、複数の発光素子を直線的に並べた発光手段からの発光を、結像手段を用いて感光体表面に露光することにより、感光体表面に潜像を形成する方式である。
【０００３】
図１３は、従来の画像形成装置の要部構成を示す図であり、記録媒体の搬送方向と直交する方向から見た図である。図１３に示す画像形成装置１０１は、カラー記録対応のもので、装置本体１０２には、記録媒体の搬送方向を示す矢印Ａ方向において、その上流側から順にイエロー（Ｙ）、マゼンタ（Ｍ）、シアン（Ｃ）、ブラック（Ｋ）に対応する４つのドラムユニット１０３が着脱可能に配置されている。
【０００４】
各ドラムユニット１０３には、矢印Ｂ方向に回転する感光体ドラム１０３ａが備えられ、対応して回転する転写ローラ１０４との協働で、図示しない搬送ベルトに吸着されて矢印Ａ方向に搬送される記録用紙に、順次所定色の画像を転写する。
【０００５】
一方スタッカカバー１０７は、記録媒体の搬送方向である矢印Ａ方向と直交する方向に延在する回転軸１０８によって装置本体１０２に回動自在に保持され、各ドラムユニット１０３の感光体１０３ａの周面に対応する位置で４つのＬＥＤヘッド１１１を保持している。よってスタッカカバー１０７は、装置本体１０２に対して開閉可能になっており、スタッカカバー１０７を装置本体１０２に対して開いたときには、各ドラムユニット１０３の交換ができるように設けられている。（例えば特許文献１参照）
【先行技術文献】
【特許文献】
【０００６】
【特許文献１】特開２００３−１１２４４６号公報
【発明の概要】
【発明が解決しようとする課題】
【０００７】
ところが従来の構成では、ＬＥＤヘッド１１１がスタッカカバー１０７に対してほぼ直角に固定されている。よって、ユーザがスタッカカバー１０７を装置本体１０２に対して開いたときに、ＬＥＤヘッド１１１の露光面がスタッカカバー１０７の開放側に向かって露出してしまう。これにより、露光面に傷が付いたり、またゴミが付着したりするという問題点がある。
【０００８】
そこで本発明は、露光面に傷やゴミが付きにくい画像形成装置を提供することを目的としている。
【課題を解決するための手段】
【０００９】
上記目的を達成するために、請求項１に記載の発明は  開口部が備えられた第１機体と、第１機体の開口部を覆うように、第１機体に開閉可能に取り付けられた第２機体と、第２機体に備えられ、搬送されるシートを積載するためのシート積載トレイと、第２機体に備えられ、主走査方向に沿ってライン状に露光し、シートの搬送方向において配列された複数の露光手段と、第１機体に備えられ、露光手段によって潜像が形成される感光体とを
備え、第２機体は、第２機体の一方が第１機体と連結され、一方を中心として回動し、他方が第１機体に対して閉じた状態である閉姿勢と開いた状態である開姿勢とに移動可能に設けられ、シート積載トレイの少なくとも一部は、シートの搬送方向に向かって上方向に傾斜するように設けられ、シートの搬送方向における最上流側に配置された露光手段は、シート積載トレイの傾斜に対向する位置に設けられ、露光手段の露光面は、第２機体が閉姿勢のときに、感光体に対して露光可能な露光位置に配置され、第２機体が開姿勢のときに、露光位置から回動した退避位置に配置され、かつ、  シートの搬送方向最上流側に配置された露光手段は、他の露光手段よりも傾斜角度が大きいことを特徴とする。
【００１０】
請求項２に記載の発明は、複数の露光手段の露光面は、第２機体が開姿勢のときに、露光面が第２機体の回動中心の方向を向いた退避位置に配置されることを特徴とする。
【発明の効果】
【００１１】
請求項１に記載の発明によれば、開口部が備えられた第１機体と、第１機体の開口部を覆うように、第１機体に開閉可能に取り付けられた第２機体と、第２機体に備えられ、搬送されるシートを積載するためのシート積載トレイと、第２機体に備えられ、主走査方向に沿ってライン状に露光し、シートの搬送方向において配列された複数の露光手段と、第１機体に備えられ、露光手段によって潜像が形成される感光体とを備え、第２機体は、第２機体の一方が第１機体と連結され、一方を中心として回動し、他方が第１機体に対して閉じた状態である閉姿勢と開いた状態である開姿勢とに移動可能に設けられ、シート積載トレイの少なくとも一部は、シートの搬送方向に向かって上方向に傾斜するように設けられ、シートの搬送方向における最上流側に配置された露光手段は、シート積載トレイの傾斜に対向する位置に設けられ、露光手段の露光面は、第２機体が閉姿勢のときに、感光体に対して露光可能な露光位置に配置され、第２機体が開姿勢のときに、露光位置から回動した退避位置に配置され、かつ、  シートの搬送方向最上流側に配置された露光手段は、他の露光手段よりも傾斜角度が大きい。
【００１２】
これによると、第２機体が開姿勢のときに、露光手段の露光面が第２機体の開放側に向かって露出することがなく、露光面に傷やゴミが付着することを防止することができる。
【００１３】
複数の露光手段はシート積載トレイの形状に沿って配置されているので、シート積載トレイがシート搬送方向に向かって上方向に湾曲するような形状であっても、露光面が第２機体の開放側に向かうことがない。
【００１４】
請求項２に記載の発明によれば、複数の露光手段の露光面は、第２機体が開姿勢のときに、露光面が第２機体の回動中心の方向を向いた退避位置に配置される。
【００１５】
これによると、第２機体が開姿勢のときに、露光手段の露光面が第２機体の回動中心の方向を向くので、露光面が第２機体の開放側に向かって露出することがなく、露光面に傷やゴミが付着することを防止することができる。
【図面の簡単な説明】
【００１６】
【図１】上ケース１が閉姿勢のＬＥＤプリンタの概略断面図である。
【図２】上ケース１が開姿勢のＬＥＤプリンタの概略断面図である。
【図３】ＬＥＤユニットの全体を示す斜視図である
【図４】ＬＥＤユニットがＬＥＤユニット支持部材に支持されている様子を示す側面図である。
【図５】レバーの構成を示す側面図である。
【図６】上ケース１が閉姿勢のときのＬＥＤユニットの回動機構を示す図である。
【図７】アームが上ケース１を支持している様子を示す斜視図である。
【図８】アームの先端部が案内部材に保持されている様子を示す斜視図である。
【図９】上ケース１がメカユニットに対して閉じた様子を示す斜視図である。
【図１０】上ケース１がメカユニットに対して少し開いた様子を示す斜視図である。
【図１１】上ケース１がメカユニットに対して完全に開いた様子を示す斜視図である。
【図１２】上ケース１が開姿勢のときのＬＥＤユニットの回動機構を示す図である。
【図１３】従来のＬＥＤプリンタを示す概略断面図である。
【発明を実施するための形態】
【００１７】
以下、添付した図面を参照して、本発明の実施の形態について説明する。図１は、本発明のＬＥＤプリンタ５（請求項に記載の画像形成装置に相当）の全体を示す概略図である。図１におけるＬＥＤプリンタ５は、図面左方向、右方向、奥方向及び手前方向をそれぞれ、前側、後側、左側及び右側とする。
【００１８】
図１において、上ケース１（請求項に記載の第２機体に相当）は、上面に開口部３ａを有するメカユニット３（請求項に記載の第１機体に相当）に対して、上ケース１の後方に設けられた回転支軸穴２とメカユニット３の後方に設けられた回転支軸４とにより回動自在に軸支されている。なお、図１は上ケース１がメカユニット３に対して閉じた状態を示している（請求項に記載の閉姿勢に相当）。
【００１９】
メカユニット３には、記録用紙の搬送方向を示す矢印Ｃ方向において、その上流から順にブラック（Ｋ）、イエロー（Ｙ）、マゼンタ（Ｍ）、シアン（Ｃ）に対応する４つのドラムユニット１０Ｋ,１０Ｙ,１０Ｍ,１０Ｃが着脱可能に配置されている。
【００２０】
各ドラムユニット１０Ｋ,１０Ｙ,１０Ｍ,１０Ｃには、矢印Ｄ方向に回転する感光体１
１Ｋ,１１Ｙ,１１Ｍ,１１Ｃが備えられている。記録用紙は、各感光体１１Ｋ,１１Ｙ,１
１Ｍ,１１Ｃに対応して回転する転写ローラ１２Ｋ,１２Ｙ,１２Ｍ,１２Ｃとの協働で搬送ベルト１４に吸着されて矢印Ｃ方向に搬送され、順次所定色の画像が転写される。その後、記録用紙は定着器１６によって熱定着させられ、搬送ローラ１８によって上ケース１に設けられた排紙トレイ１９（請求項に記載のシート積載トレイに相当）へ排出される。
【００２１】
一方、上ケース１は、各ドラムユニット１０Ｋ,１０Ｙ,１０Ｍ,１０Ｃの感光体１１Ｋ,１１Ｙ,１１Ｍ,１１Ｃの周面に対応する位置で４つのＬＥＤユニット２０Ｋ,２０Ｙ,２０Ｍ,２０ＹＣ（請求項に記載の露光手段に相当）がそれぞれ備えられている。
【００２２】
ＬＥＤユニット２０Ｋ,２０Ｙ,２０Ｍ,２０Ｃの先端部に設けられたＬＥＤヘッド３２
Ｋ,３２Ｙ,３２Ｍ,３２Ｃ（後に説明）が、各々対応する感光体１１Ｋ,１１Ｙ,１１Ｍ,１１Ｃの周面に近接配置され、感光体１１Ｋ,１１Ｙ,１１Ｍ,１１Ｃの露光周面への露光が
可能となる。各感光体１１Ｋ,１１Ｙ,１１Ｍ,１１Ｃは矢印Ｄ方向に回転し、感光体１１
Ｋ,１１Ｙ,１１Ｍ,１１Ｃの左右方向（主走査方向）に沿ってライン状に露光される。
【００２３】
なお、ドラムユニット１０、感光体１１、転写ローラ１２、ＬＥＤユニット２０及びＬＥＤヘッド３２は特別な記載がない限りすべて同じものとし、区別する必要がある場合には対応する色に（Ｋ），（Ｙ），（Ｍ），（Ｃ）を付して区別する。
【００２４】
図２は、図１の上ケース１をメカユニット３に対して閉じた状態から、上ケース１を開いた状態を示している（請求項に記載の開姿勢に相当）。上ケース１が開かれると、ＬＥＤユニット２０が上ケース１に連動して回動し、各ドラムユニット１０の交換ができるようになっている。以下、図３〜図１２を参照してＬＥＤユニット２０の構成及びＬＥＤユ
ニット２０が上ケース１に連動する機構を説明する。
【００２５】
図３はＬＥＤユニット２０を示す斜視図である。ＬＥＤユニット２０の下部に設けられたＬＥＤヘッド３２は、主走査方向に沿ってライン状に並べられたＬＥＤアレイ（図示せず）と、セルフォックレンズアレイ（図示せず）とをユニット化したものであり、ＬＥＤヘッド３２の光の照射方向の面である露光面３２ａを持つ。このＬＥＤヘッド３２は、左右方向に細長いＬＥＤ支持体３５から垂下した保持部材３７ａ,３７ｂによって保持され
ている。
【００２６】
また、ＬＥＤ支持体３５は、左右方向においてそれぞれボス３６ａ,３６ｂが外側に向
かって突出している。また、ＬＥＤ支持体３５の右側端部には、上方向に斜めに延出した腕部３４が設けられており、腕部３４の先端部付近には、凸部３８がボス３６ａと同様に外側に向かって突出した状態で設けられている。
【００２７】
図４は、ＬＥＤユニット２０がＬＥＤユニット支持部材５０に支持されている様子を示す側面図であり、図５は、図４に示すレバー８０を拡大した図である。図６は４つのＬＥＤユニット２０を連結及び回動させるプレート６０を示しており、図７はＬＥＤユニット支持部材５０が上ケース１に取り付けられた様子を示す斜視図である。なお、図７において上ケース１はメカユニット３に対して開いた状態を示しており、メカユニット３は省略している。
【００２８】
図４に示すように、ＬＥＤユニット２０Ｋ,２０Ｙ,２０Ｍ,２０Ｃは、ＬＥＤユニット
支持部材５０に支えられて前後方向に４つ並べられて配置されている。詳しく説明すると、ＬＥＤユニット支持部材５０の穴５０ａにＬＥＤユニット２０のボス３６ａが嵌合されており、ＬＥＤユニット２０はＬＥＤユニット支持部材５０に対して回動可能に支持されている。なお、ＬＥＤユニット支持部材５０は上ケース１の左側にも設けられており、ＬＥＤユニット２０は、ボス３６ｂが左側のＬＥＤユニット支持部材５０に設けられた穴５０ｂに嵌合されている（図７参照）。
【００２９】
図４及び図５に示すように、ＬＥＤユニット支持部材５０には、円弧形状にＬＥＤユニット支持部材５０に貫通した湾曲穴５０ｂと、右方向（図面手前方向）に突出した回転中心ボス８８とが設けられている。なお、上ケース１の左側に設けられたＬＥＤユニット支持部材５０には、レバー８０、湾曲穴５０ｂ及び回転中心ボス８８等は備えられていない。
【００３０】
レバー８０は、回転中心ボス８８に嵌合する穴８０ｃと、穴８０ｃの下方に位置するボス８０ｄと、穴８０ｃから上に向かって後方向に傾斜するように延設された長方形状のリンク部８０ａと、リンク部８０ａの形状に沿った長穴８０ｂとを有する。また、レバー８０は回転中心ボス８８を中心として回動するようになっている。
【００３１】
図６は、図４に示すＬＥＤユニット支持部材５０を二点鎖線で示し、４つのＬＥＤユニット２０を連結及び回動させるプレート６０を図示している。なお、図６は右側のＬＥＤユニット支持部材５０を示しており、左側のＬＥＤユニット支持部材５０にはプレート６０は設けられていない。
【００３２】
プレート６０は、ＬＥＤユニット支持部材５０の左方向（図面奥方向）に設けられ、前後方向に細長い形状をしており、後端部には引っ張りコイルバネであるバネ部材６５が取り付けられている。バネ部材６５は、バネ部材６５の前端部に設けられた係止部６５ａがプレート６０の後端部に引っ掛けられ、バネ部材６５の後端部に設けられた係止部６５ｂがＬＥＤユニット支持部材５０の一部に引っ掛けられている。
【００３３】
また、プレート６０には凹部６０ａ,６０ｂ,６０ｃ,６０ｄが設けられており、対応す
る４つのＬＥＤユニット２０Ｋ,２０Ｙ,２０Ｍ,２０Ｃの凸部３８が、それぞれ凹部６０
ａ,６０ｂ,６０ｃ,６０ｄに嵌遊されている。また、プレート６０には突起部６３が設け
られており、突起部６３はＬＥＤユニット支持部材５０の湾曲孔５０ｂから右方向（図面手前方向）に向かって突出している。さらに、突起部６３はレバー８０の長穴８０ｂに嵌められている（図４参照）。
【００３４】
図７に示すように、上ケース１とメカユニット３との間には、一対のアーム４０ａ,４
０ｂが備えられている。また、アーム４０ａ,４０ｂとメカユニット３との間には、それ
ぞれ引っ張りコイルバネ４２ａ,４２ｂが設けられている。引っ張りコイルバネ４２ａ,４２ｂは、アーム４０ａ,４０ｂの中央部付近からそれぞれ後方向に向かってメカユニット
３との間に備えられている。
【００３５】
アーム４０ａ,４０ｂは、アーム４０ａ,４０ｂの下方にそれぞれ設けられた円筒部材４１ａ,４１ｂ（請求項に記載のアームの一端部に相当）が図示しないメカユニット３の軸
に回動可能に嵌合されている。また、アーム４０ａの先端部（請求項に記載のアームの他端部に相当）は、上ケース１に取り付けられた案内部材７２に対してそれぞれ矢印Ｅ方向にスライドする構成になっている。また、案内部材７２は上ケース１の左側にも設けられており、アーム４０ｂの先端部も左側の案内部材７２によってスライドする構成になっている。
【００３６】
なお、図７に示す状態において、上ケース１は、メカユニット３に対して開いた状態を保っている。このとき、アーム４０ａ,４０ｂが上ケース１を支持しており、アーム４０
ａ,４０ｂは、引っ張りコイルバネ４２ａ,４２ｂによって後方向に付勢されている。これにより、アーム４０ａ,４０ｂの先端部が静止した状態となり、上ケース１を開姿勢に保
っている。
【００３７】
図８は、図７に示すアーム４０ａ及び案内部材７２を示す斜視図であり、アーム４０ａに連動して移動する移動部材４５を示している。アーム４０ａの先端部には、左方向に突出した円柱状の突出部４４aが設けられており、アーム４０ａを介して右側には、円柱状
の突出部４４ｂ（破線で示す）が設けられている。突出部４４ｂは、案内部材７２の案内板７３に支持され、案内板７３に沿って前後方向（矢印Ｅ方向）に移動できるようになっている。
【００３８】
また、突出部４４aは移動部材４５の角穴４５aに嵌められている。移動部材４５は、上ケース１に対して矢印Ｅ方向にスライドするように設けられており、アーム４０ａの先端部が矢印Ｅ方向にスライドするのに連動して移動できるようになっている。また、移動部材４５は後端部に押圧部４５ｃが設けられており、押圧部４５ｃから前方向に向かって上向きに傾斜した傾斜部４５ｄを有している。なお、アーム４０ｂの先端部においては、左側の案内部材７２に対してスライドする構成はアーム４０ａと同様であるが、移動部材４５は設けられていない。
【００３９】
次に、図９〜図１１を参照にして、上ケース１がメカユニット３に対して開閉する様子と、この上ケース１の開閉に連動して回動するＬＥＤユニット２０について詳細を述べる。なお、図９〜図１１においては、分かりやすくするためにアーム４０ａは二点鎖線で描かれており、引っ張りコイルバネ４２ａ,４２ｂは図示していない。図９は上ケース１が
メカユニット３に対して閉じた状態を示しており、図１０に示す状態になるにつれて開きの角度が大きくなり、図１１においては上ケース１がメカユニット３に対して完全に開いた状態を示している。
【００４０】
図９は、図１と同様に上ケース１がメカユニット３に対して閉じた状態を示しており、ＬＥＤユニット２０が上ケース１に対してほぼ直角に配置され、感光体１１に対して露光可能な状態（請求項に記載の露光位置に相当）になっている。
【００４１】
上ケース１が閉じた状態では、アーム４０ａ,４０ｂは上ケース１に対してほぼ平行な
状態に配置される。このときアーム４０ａ,４０ｂの突出部４４ｂは、案内板７３の前端
部付近の位置に配置される。また、上ケース１には圧縮コイルバネで構成されたダンパー７０が設けられており、ダンパー７０はアーム４０ａと連動する移動部材４５の側面部４５ｂによって押され、ダンパー７０を圧縮した状態で静止している。
【００４２】
なお、ダンパー７０は上ケース１の左側にも備えられており、左側のダンパー７２は、左側の案内部材７２の前端部７２ａに設けられている。このダンパー７０は、上ケース１を開姿勢から閉姿勢にするときに、右側においては移動部材４５の側面部４５ａが、左側においてはアーム４０ｂの先端部が、それぞれダンパー７０に当接することで上ケース１が勢いよく閉じてしまうことを防止する役割を果たしている。
【００４３】
図１０は、図９に示す状態から上ケース１を少し開いた状態を示している。上ケース１は、回転支軸４を中心として回動し、これに連動してアーム４０ａ,４０ｂの先端部が案
内部材７２に沿って後方（矢印Ｆ方向）へ向かってスライドする。なお、アーム４０ａの先端部には、移動部材４５の角穴４５aに嵌る突出部４４ａが設けられているので、アー
ム４０ａの先端部の動きに連動して、移動部材４５も後方向へスライドする。
【００４４】
移動部材４５が後方へスライドすると、移動部材４５の後端部である押圧部４５ｃがレバー８０のボス８０ｄに当接する。この状態から上ケース１の開き角度がさらに大きくなると、移動部材４５がさらに後方にスライドする（図１１参照）。このとき移動部材４５が後方へスライドすることによって、ボス８０ｄは移動部材４５の押圧部４５ｃに押され、その後傾斜部４５ｄに押される。この動作により、ボス８０ｄは図５に示す矢印Ｇ方向に回動し、ボス８０ｄが矢印Ｇ方向に回動すると、リンク部８０ａは矢印Ｈ方向へ回動する。
【００４５】
リンク部８０ａが矢印Ｈ方向に回動すると共に突起部６３も回動する。突起部６３が矢印Ｈ方向に回動すると、図１２に示すように、プレート６０がバネ部材６５の弾力に抗してボス３６ａを中心として前方向に移動し、ＬＥＤユニット２０Ｋ,２０Ｙ,２０Ｍ,２０
Ｃは、それぞれボス３６ａを中心として後方向へ回動する。ＬＥＤユニット２０が回動すると、露光面３２ａが回動中心方向を向いた状態（請求項に記載の退避位置に相当）になる。なお、ボス８０ｄが押圧部４５ｃに押され、矢印Ｇ方向に回動するときに、ボス８０は移動部材４５の傾斜部４５ｄの傾斜の抵抗を受けながら回動させられる。これにより、ＬＥＤユニット２０が急に回動することがないようになっている。
【００４６】
また、ＬＥＤユニット２０Ｃは、ＬＥＤユニット２０Ｋ,２０Ｙ,２０Ｍよりも回動する角度が小さくなっている。これは、ＬＥＤユニット２０Ｃの凸部３８が嵌る凹部６０ｄが、円形ではなく後方向に傾斜した略楕円形状をしているためである。プレート６０が前方向へ移動したとき、ＬＥＤユニット２０Ｋ,２０Ｙ,２０Ｍはボス３６ａを中心として回動するが、ＬＥＤユニット２０Ｃはボス３６ａを中心として、凸部３８が略楕円形状の凹部６０ｄの形状に沿って相対的に後上方向に移動する。これにより、上ケース１に対するＬＥＤユニット２０Ｃの傾斜角度は、ＬＥＤユニット２０Ｋ,２０Ｙ,２０Ｍと比較して大きくなっている。
【００４７】
なお、ＬＥＤユニット２０の上部に設けられた排紙トレイ１９は、後から前に向かって
上方向に湾曲するような形状になっている（図１及び図２参照）。４つのＬＥＤユニット２０は排紙トレイ１９の形状に沿って取り付けるため、最も後側に設けられたＬＥＤユニット２０Ｃは上ケース１に対して傾斜角度が大きくなるように備えられている。なお、本実施の形態の上ケース１に対するＬＥＤユニット２０の傾斜角度は、２０Ｃ＞２０Ｋ＝２０Ｙ＝２０Ｍとなっている。
【００４８】
なお、上ケース１が図９に示す状態から図１０に示す状態まで回動する間は、ＬＥＤユニット２０は上ケース１に対してほぼ直角の状態を保っている。この間は、ＬＥＤユニット２０が上ケース１に連動してメカユニット３から抜き出されている状態である。このとき、ＬＥＤユニット２０はドラムユニット１０付近に配置されているため、ドラムユニット１０に当接しないようにＬＥＤユニット２０をメカユニット３から抜き出す必要がある。図１０に示す状態は、ＬＥＤユニット２０がメカユニット３から完全に抜き出された状態であり、この状態からさらに上ケース１を開くことによって、ＬＥＤユニット２０が回動するようになっている。
【００４９】
このように、上ケース１を開いたときにＬＥＤユニット２０の露光面３２ａが、上ケース１の回動中心の方向を向くので、露光面３２ａが上ケース１の開放側に向かって露出することがない。よって、ユーザが露光面３２ａに触れにくくなり、露光面３２ａに傷やゴミが付着することを防止することができる。
【００５０】
また、上ケース１を開いたときにすべてのＬＥＤユニット２０が回動することで、上ケース１の開き角度を大きくしなくてもドラムユニット１０の交換を容易にすることができる。これにより、上ケース１をメカユニット３に対して大きく開く必要がなく、ＬＥＤプリンタ５の転倒を防止することができる。
【符号の説明】
【００５１】
１…上ケース（第２機体）
３…メカユニット（第１機体）
１０…ドラムユニット
１１…感光体
１９…排紙トレイ（シート積載トレイ）
２０…ＬＥＤユニット（露光手段）
３２…ＬＥＤヘッド
３２ａ…露光面
３５…ＬＥＤ支持体
３６ａ,３６ｂ…ボス
３８…凸部
４０ａ,４０ｂ…アーム
４１ａ,４１ｂ…円筒部材
４４ａ,４４ｂ…突出部
４５…移動部材
４５ａ…角穴
４５ｂ…側面部
４５ｃ…押圧部
４５ｄ…傾斜部
５０…ＬＥＤユニット支持部材
５０ａ…穴
５０ｂ…湾曲穴
６０…プレート
６０ａ,６０ｂ,６０ｃ,６０ｄ…凹部
６３…突起部
６５…バネ部材
７０…ダンパー
７２…案内部材
７３…案内板
８０…レバー
８０ａ…リンク部
８０ｂ…長穴
８０ｃ…穴
８０ｄ…ボス
８８…回転中心ボス
【図１】
2010044406.tif 000003
【図２】
2010044406.tif 000004
【図３】
2010044406.tif 000005
【図４】
2010044406.tif 000006
【図５】
2010044406.tif 000007
【図６】
2010044406.tif 000008
【図７】
2010044406.tif 000009
【図８】
2010044406.tif 000010
【図９】
2010044406.tif 000011
【図１０】
2010044406.tif 000012
【図１１】
2010044406.tif 000013
【図１２】
2010044406.tif 000014
【図１３】
2010044406.tif 000015